(57)【要約】      （修正有）【課題】充電時に温度制御をする充電装置として、充電時に温度制御をしない充電装置および電池駆動装置との互換性が高いものを提供する。【解決手段】充電装置１は、二次電池１４を充電し、二次電池１４の充電状態を示す状態通知制御信号を出力する充電回路１３と、満充電状態の状態通知制御信号が入力された場合には充電回路１３を停止させ、それ以外の状態の状態通知制御信号が入力された場合には充電回路１３を動作させる制御信号を出力する制御部１５と、二次電池１４の温度を検出し、検出温度ＴＢが所定の温度である場合、制御部１５の入力端子ＳＩ１，ＳＩ２を、満充電状態の状態通知制御信号が入力されたときと同じ入力状態にする状態通知制御回路４６とを有する。【選択図】図１
2010193634.tif 000002
【特許請求の範囲】
【請求項１】
二次電池に接続され、前記二次電池を充電し、前記二次電池の充電状態を示す状態通知制御信号として、前記二次電池の満充電状態と満充電状態以外の状態とを区別することができる状態通知制御信号を出力する充電回路と、
前記状態通知制御信号が入力される入力端子を有し、前記二次電池の満充電状態を示す前記状態通知制御信号が入力された場合には前記充電回路を停止させる制御信号を出力し、前記満充電状態以外の状態を示す前記状態通知制御信号が入力された場合には前記充電回路を動作させる制御信号を出力する制御部と、
前記二次電池の温度を検出し、前記検出温度が所定の温度である場合、前記制御部の前記入力端子を、前記二次電池の満充電状態を示す前記状態通知制御信号が入力されたときと同じ入力状態にする状態通知制御回路と
を有する充電装置。
【請求項２】
前記充電回路が出力する前記状態通知制御信号は、
前記二次電池を充電する前記充電回路の動作状態を示す信号であり、
前記二次電池が満充電状態にあって充電を停止した停止状態と停止状態以外の動作状態とを区別することができる信号である
請求項１記載の充電装置。
【請求項３】
前記充電回路と前記制御部とを接続し、前記充電回路が出力した前記状態通知制御信号を前記制御部へ入力する状態通知制御信号線を有し、
前記充電回路は、
前記状態通知制御信号として、前記二次電池が満充電状態にあって充電を停止した停止状態と停止状態以外の動作状態とで電圧レベルが異なる信号を出力し、
前記制御部は、
前記状態通知制御信号の電圧レベルが、前記二次電池が満充電状態にあって充電を停止した停止状態での電圧レベルである場合には前記充電回路を停止させる制御信号を出力し、
前記状態通知制御信号の電圧レベルが、前記停止状態以外の動作状態での電圧レベルである場合には前記充電回路を動作させる制御信号を出力し、
前記状態通知制御回路は、
前記二次電池の温度を検出する温度検出回路と、
前記温度検出回路の検出温度が所定の温度である場合、前記制御部の前記入力端子を、前記二次電池の満充電状態を示す前記状態通知制御信号が入力されたときと同じ入力状態にする温度制御回路と
を含み、
前記温度制御回路は、
前記状態通知制御信号線に接続され、
前記温度検出回路の検出温度が所定の温度である場合、前記充電回路が出力する前記状態通知制御信号の電圧レベルに関係なく、前記状態通知制御信号線の電圧レベルを、前記二次電池が満充電状態にあって充電を停止した停止状態での前記状態通知制御信号と論理的に同じになる電圧レベルに制御し、当該電圧レベルを前記制御部の前記入力端子に入力する
請求項２記載の充電装置。
【請求項４】
前記温度検出回路は、
前記二次電池の検出温度と低基準温度とを比較し、前記検出温度が前記低基準温度より低い場合に所定の論理レベルの電圧を出力する低温センサを含み、
前記温度制御回路は、
前記低温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御する
請求項３記載の充電装置。
【請求項５】
前記温度検出回路は、
前記二次電池の検出温度と、前記低基準温度より高い高基準温度とを比較し、前記検出温度が前記高基準温度より高い場合に所定の論理レベルの電圧を出力する高温センサを含み、
前記温度制御回路は、
前記高温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御する
請求項４記載の充電装置。
【請求項６】
前記温度検出回路は、
前記二次電池の検出温度と、前記低基準温度と前記高基準温度との間の中基準温度とを比較し、前記検出温度が前記中基準温度より高い場合に所定の論理レベルの電圧を出力する中温センサと、
前記充電回路に接続され、前記二次電池の充電電圧と所定の基準電圧とを比較し、前記二次電池の充電電圧が前記所定の基準電圧以上である場合に前記中温センサを動作させて温度を検出させる充電電圧検出回路とを含み、
前記温度制御回路は、
前記中温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御する
請求項５記載の充電装置。
【請求項７】
前記温度制御回路は、
前記低温センサにアノードが接続された低温用ダイオードと、
前記高温センサにアノードが接続された高温用ダイオードと、
前記中温センサにアノードが接続された中温用ダイオードと、
前記低温用ダイオードのカソード、前記高温用ダイオードのカソードおよび前記中温用ダイオードのカソードに接続された論理合成信号線と、
前記論理合成信号線に接続され、前記低温用ダイオードのアノード、前記高温用ダイオードのアノードおよび前記中温用ダイオードのアノードのいずれか一つが所定の論理レベルである場合に、前記論理合成信号線を所定の論理レベルにする抵抗素子と、
前記論理合成信号線と前記状態通知制御信号線との間に接続されたダイオードまたはトランジスタを含み、前記論理合成信号線が前記論理レベルである場合に前記状態通知制御信号線の電圧レベルを、前記二次電池が満充電状態にあって充電を停止した状態での前記状態通知制御信号と論理的に同じになる電圧レベルにする検出用能動素子とを含む
請求項６記載の充電装置。
【請求項８】
前記制御部と前記充電回路とを接続し、前記制御部が出力した前記制御信号を前記充電回路へ入力する制御信号線を有し、
前記温度制御回路は、
前記論理合成信号線と前記状態通知制御信号線との間に接続されたダイオードまたはトランジスタを含み、前記論理合成信号線が前記論理レベルである場合に前記制御信号線の電圧レベルを、前記充電回路を停止させる場合の前記制御信号と論理的に同じになる電圧レベルにする制御用能動素子を含む
請求項７記載の充電装置。
【請求項９】
前記温度検出回路は、
前記二次電池の検出温度と、前記低基準温度と前記中基準温度との間の電流切替基準温度とを比較し、前記検出温度が前記電流切替基準温度より低い場合に所定の論理レベルの電圧を出力する充電電流制御用温度センサを含み、
前記充電回路は、
前記充電電流制御用温度センサの出力が前記論理レベルになった場合に、充電電流を制限する
請求項８記載の充電装置。
【請求項１０】
二次電池と、
前記二次電池に接続され、前記二次電池を充電し、前記二次電池の充電状態を示す状態通知制御信号として、前記二次電池の満充電状態と満充電状態以外の状態とを区別することができる状態通知制御信号を出力する充電回路と、
前記状態通知制御信号が入力される入力端子を有し、前記二次電池の満充電状態を示す前記状態通知制御信号が入力された場合には前記充電回路を停止させる制御信号を出力し、前記満充電状態以外の状態を示す前記状態通知制御信号が入力された場合には前記充電回路を動作させる制御信号を出力する制御部と、
前記二次電池の温度を検出し、前記検出温度が所定の温度である場合、前記制御部の前記入力端子を、前記二次電池の満充電状態を示す前記状態通知制御信号が入力されたときと同じ入力状態にする状態通知制御回路と
を有する電池駆動装置。
【発明の詳細な説明】
【技術分野】
【０００１】
本発明は、二次電池を充電する充電装置および電池駆動装置に関する。
【背景技術】
【０００２】
従来、二次電池を充電する充電装置には、特許文献１のように、充電時に温度制御をする充電装置と、充電時に温度制御をしない充電装置とがある。
充電時に温度制御をしない充電装置は、温度センサなどが不要であるので、充電時に温度制御をする充電装置に比べて簡易な回路構成および簡易なプログラムにより制御することができる。
そのため、二次電池がリチウムイオン電池である場合など、充電時に温度による制御をしなくとも充電が可能である場合には、充電時に温度制御をしない充電装置を用いることが多い。
【先行技術文献】
【特許文献】
【０００３】
【特許文献１】特開平１１−３０８７７９号公報
【発明の概要】
【発明が解決しようとする課題】
【０００４】
ところで、従来の製品では、このように充電時に温度制御をしない充電装置を用いている場合において、たとえば次の製品を開発するにあたって、充電時に温度制御をする充電装置を採用したいことがある。
【０００５】
しかしながら、充電時に温度制御をしない充電装置は、充電時に温度制御をする充電装置とは検出内容および制御内容が異なるため、それらに用いる回路およびプログラムは全く別のものである。
そのため、従来の製品において使用していた充電時に温度制御をしない充電装置の回路およびプログラムをそのまま、新しい製品において使用する充電時に温度制御をする充電装置の回路およびプログラムとして利用することができない。
【０００６】
その結果、新たな製品において、従来の製品とは異なり、充電時に温度制御をする充電装置を新たに採用する場合には、充電装置を設計し直す必要がある。このため、充電装置の設計期間が長期化する。
しかも、充電装置を新規に設計した場合、製品化のためにその充電装置を試験しなければならない。このため、充電装置の設計期間が長期化する。
特に、充電装置では、一般的な装置と同様に温度試験などを実施することに加えて、充電装置に特有の試験を実施しなければならない。たとえば、二次電池の寿命（繰り返し使用可能回数）などを確保するための試験などが含まれる。このため、充電装置の試験期間が長期化する。
また、設計期間の長期化および試験期間の長期化は、充電装置のコストアップの一因になる。
【０００７】
本発明は、上記のような課題に鑑みなされたもので、充電時に温度制御をする充電装置として、充電時に温度制御をしない充電装置および電池駆動装置との互換性が高いものを提供する。
【課題を解決するための手段】
【０００８】
本発明の第１の観点の充電装置は、二次電池に接続され、前記二次電池を充電し、前記二次電池の充電状態を示す状態通知制御信号として、前記二次電池の満充電状態と満充電状態以外の状態とを区別することができる状態通知制御信号を出力する充電回路と、前記状態通知制御信号が入力される入力端子を有し、前記二次電池の満充電状態を示す前記状態通知制御信号が入力された場合には前記充電回路を停止させる制御信号を出力し、前記満充電状態以外の状態を示す前記状態通知制御信号が入力された場合には前記充電回路を動作させる制御信号を出力する制御部と、前記二次電池の温度を検出し、前記検出温度が所定の温度である場合、前記制御部の前記入力端子を、前記二次電池の満充電状態を示す前記状態通知制御信号が入力されたときと同じ入力状態にする状態通知制御回路とを有する。
【０００９】
好適には、前記充電回路が出力する前記状態通知制御信号は、前記二次電池を充電する前記充電回路の動作状態を示す信号であり、前記二次電池が満充電状態にあって充電を停止した停止状態と停止状態以外の動作状態とを区別することができる信号でもよい。
【００１０】
好適には、前記充電回路と前記制御部とを接続し、前記充電回路が出力した前記状態通知制御信号を前記制御部へ入力する状態通知制御信号線を有し、前記充電回路は、前記状態通知制御信号として、前記二次電池が満充電状態にあって充電を停止した停止状態と停止状態以外の動作状態とで電圧レベルが異なる信号を出力し、前記制御部は、前記状態通知制御信号の電圧レベルが、前記二次電池が満充電状態にあって充電を停止した停止状態での電圧レベルである場合には前記充電回路を停止させる制御信号を出力し、前記状態通知制御信号の電圧レベルが、前記停止状態以外の動作状態での電圧レベルである場合には前記充電回路を動作させる制御信号を出力し、前記状態通知制御回路は、前記二次電池の温度を検出する温度検出回路と、前記温度検出回路の検出温度が所定の温度である場合、前記制御部の前記入力端子を、前記二次電池の満充電状態を示す前記状態通知制御信号が入力されたときと同じ入力状態にする温度制御回路とを含み、前記温度制御回路は、前記状態通知制御信号線に接続され、前記温度検出回路の検出温度が所定の温度である場合、前記充電回路が出力する前記状態通知制御信号の電圧レベルに関係なく、前記状態通知制御信号線の電圧レベルを、前記二次電池が満充電状態にあって充電を停止した停止状態での前記状態通知制御信号と論理的に同じになる電圧レベルに制御し、当該電圧レベルを前記制御部の前記入力端子に入力してもよい。
【００１１】
好適には、前記温度検出回路は、前記二次電池の検出温度と低基準温度とを比較し、前記検出温度が前記低基準温度より低い場合に所定の論理レベルの電圧を出力する低温センサを含み、前記温度制御回路は、前記低温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御してもよい。
【００１２】
好適には、前記温度検出回路は、前記二次電池の検出温度と、前記低基準温度より高い高基準温度とを比較し、前記検出温度が前記高基準温度より高い場合に所定の論理レベルの電圧を出力する高温センサを含み、前記温度制御回路は、前記高温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御してもよい。
【００１３】
好適には、前記温度検出回路は、前記二次電池の検出温度と、前記低基準温度と前記高基準温度との間の中基準温度とを比較し、前記検出温度が前記中基準温度より高い場合に所定の論理レベルの電圧を出力する中温センサと、前記充電回路に接続され、前記二次電池の充電電圧と所定の基準電圧とを比較し、前記二次電池の充電電圧が前記所定の基準電圧以上である場合に前記中温センサを動作させて温度を検出させる充電電圧検出回路とを含み、前記温度制御回路は、前記中温センサが前記論理レベルを出力した場合に前記状態通知制御信号線の電圧レベルを、前記二次電池が満充電状態にあって充電を停止した停止状態での前記状態通知制御信号と論理的に同じになる電圧レベルに制御してもよい。
【００１４】
好適には、前記温度制御回路は、前記低温センサにアノードが接続された低温用ダイオードと、前記高温センサにアノードが接続された高温用ダイオードと、前記中温センサにアノードが接続された中温用ダイオードと、前記低温用ダイオードのカソード、前記高温用ダイオードのカソードおよび前記中温用ダイオードのカソードに接続された論理合成信号線と、前記論理合成信号線に接続され、前記低温用ダイオードのアノード、前記高温用ダイオードのアノードおよび前記中温用ダイオードのアノードのいずれか一つが所定の論理レベルである場合に、前記論理合成信号線を所定の論理レベルにする抵抗素子と、前記論理合成信号線と前記状態通知制御信号線との間に接続されたダイオードまたはトランジスタを含み、前記論理合成信号線が前記論理レベルである場合に前記状態通知制御信号線の電圧レベルを、前記二次電池が満充電状態にあって充電を停止した状態での前記状態通知制御信号と論理的に同じになる電圧レベルにする検出用能動素子とを含んでもよい。
【００１５】
好適には、前記制御部と前記充電回路とを接続し、前記制御部が出力した前記制御信号を前記充電回路へ入力する制御信号線を有し、前記温度制御回路は、前記論理合成信号線と前記状態通知制御信号線との間に接続されたダイオードまたはトランジスタを含み、前記論理合成信号線が前記論理レベルである場合に前記制御信号線の電圧レベルを、前記充電回路を停止させる場合の前記制御信号と論理的に同じになる電圧レベルにする制御用能動素子を含んでもよい。
【００１６】
好適には、前記温度検出回路は、前記二次電池の検出温度と、前記低基準温度と前記中基準温度との間の電流切替基準温度とを比較し、前記検出温度が前記電流切替基準温度より低い場合に所定の論理レベルの電圧を出力する充電電流制御用温度センサを含み、前記充電回路は、前記充電電流制御用温度センサの出力が前記論理レベルになった場合に、充電電流を制限してもよい。
【００１７】
本発明の第二の観点の電池駆動装置は、二次電池と、前記二次電池に接続され、前記二次電池を充電し、前記二次電池の充電状態を示す状態通知制御信号として、前記二次電池の満充電状態と満充電状態以外の状態とを区別することができる状態通知制御信号を出力する充電回路と、前記状態通知制御信号が入力される入力端子を有し、前記二次電池の満充電状態を示す前記状態通知制御信号が入力された場合には前記充電回路を停止させる制御信号を出力し、前記満充電状態以外の状態を示す前記状態通知制御信号が入力された場合には前記充電回路を動作させる制御信号を出力する制御部と、前記二次電池の温度を検出し、前記検出温度が所定の温度である場合、前記制御部の前記入力端子を、前記二次電池の満充電状態を示す前記状態通知制御信号が入力されたときと同じ入力状態にする状態通知制御回路とを有する。
【発明の効果】
【００１８】
本発明によれば、充電時に温度制御をする充電装置として、充電時に温度制御をしない充電装置および電池駆動装置との互換性が高いものが得られる。
【図面の簡単な説明】
【００１９】
【図１】図１は、本発明の第１の実施の形態に係る充電装置の回路構成を示す回路図である。
【図２】図２は、図１中の第１状態出力端子および第２状態出力端子の状態通知制御信号と、充電ＩＣの動作状態との対応関係を示す図である。
【図３】図３は、図１の充電装置が組み込まれた携帯電話機の外観図である。
【図４】図４は、図１の充電装置での温度制御内容を示す説明図である。
【図５】図５は、図１中のＣＰＵによる充電制御を示すフローチャートである。
【図６】図６は、図１の充電装置の充電状態遷移図である。
【図７】図７は、図１の充電装置の温度制御による動作状態リスト（前半）である。
【図８】図８は、図１の充電装置の温度制御による動作状態リスト（後半）である。
【図９】図９は、充電中に温度制御をしない比較例に係る充電装置の回路図である。
【図１０】図１０は、ＣＩＡＪ勧告のリチウムイオン電池の充電方式の説明図である。
【図１１】図１１は、本発明の第２の実施の形態に係る充電装置の回路構成を示す回路図である。
【図１２】図１２は、図１１の充電装置での温度制御内容を示す説明図である。
【発明を実施するための形態】
【００２０】
以下、本発明の実施形態を図面に関連付けて説明する。
【００２１】
［第１の実施の形態］
図１は、本発明の第１の実施の形態に係る充電装置１の回路構成を示す回路図である。
図１の充電装置１は、携帯電話機６に用いられるものであり、ＡＣアダプター用コネクタ（以下、ＡＣＡＤＰコネクタという）１１、直流コネクタ１２、充電ＩＣ（Integrated Circuit）１３、二次電池１４を有する。
【００２２】
ＡＣＡＤＰコネクタ１１は、第１外部端子１１−１と、第２外部端子１１−２とを有する。第１外部端子１１−１は、充電ＩＣ１３の後述するＡＣＡＤＰ電圧入力端子ＡＣＩＮに接続される。第２外部端子１１−２は、グランド部に接続される。これにより、ＡＣＡＤＰコネクタ１１に電源が接続されると、ＡＣアダプターの直流電圧が充電ＩＣ１３に供給される。なお、ＡＣアダプターは、たとえば商用交流電源に接続して使用する。
【００２３】
直流コネクタ１２は、第３外部端子１２−１と、第４外部端子１２−２とを有する。第３外部端子１２−１は、充電ＩＣ１３の後述する直流電圧入力端子ＤＣＩＮに接続される。第４外部端子１２−２は、グランド部に接続される。これにより、直流コネクタ１２に直流電源が接続されると、直流電源の直流電圧が充電ＩＣ１３に供給される。なお、直流電源には、たとえばパーソナルコンピュータなどのＵＳＢ（Universal Serial Bus）端子から直流電圧を出力する直流電源などがある。
【００２４】
二次電池１４は、蓄電できる電池であればよく、たとえばリチウムイオン電池などがある。リチウムイオン電池は、充電時に温度による制御をしなくとも充電が可能な二次電池である。二次電池１４は、充電ＩＣ１３の後述する充電端子ＰＯＵＴとグランド部との間に接続される。
【００２５】
充電ＩＣ１３は、複数の入出力端子を有する。入出力端子には、たとえばＡＣＡＤＰ電圧入力端子ＡＣＩＮ、直流電圧入力端子ＤＣＩＮ、充電端子ＰＯＵＴ、制御入力端子ＣＩＮ、第１状態出力端子ＳＯ１、第２状態出力端子ＳＯ２がある。
【００２６】
充電端子ＰＯＵＴは、二次電池１４に接続される。充電ＩＣ１３は、ＡＣＡＤＰ電圧入力端子ＡＣＩＮまたは直流電圧入力端子ＤＣＩＮから入力される電力を変換し、充電端子ＰＯＵＴから出力する。二次電池１４は、充電端子ＰＯＵＴから供給される電圧および電流により充電される。また、充電ＩＣ１３は、ＩＣ内において、充電端子ＰＯＵＴの出力電圧（充電電圧）および出力電流（充電電流）を検出する。
【００２７】
制御入力端子ＣＩＮは、後述する制御用のＣＰＵ１５（Central Processing Unit）の制御出力端子ＣＯＵＴに接続される。充電ＩＣ１３は、制御入力端子ＣＩＮがローレベルである場合、充電端子ＰＯＵＴから充電電圧および充電電流を出力する。制御入力端子ＣＩＮがハイレベルである場合、充電ＩＣ１３は、充電端子ＰＯＵＴから充電電圧および充電電流を出力しない。すなわち、この制御入力端子ＣＩＮは、ローイネーブルの端子である。
【００２８】
第１状態出力端子ＳＯ１は、後述する制御用のＣＰＵ１５の第１検出入力端子ＳＩ１に接続される。第２状態出力端子ＳＯ２は、後述する制御用のＣＰＵ１５の第２検出入力端子ＳＩ２に接続される。充電ＩＣ１３は、二次電池１４を充電する充電ＩＣ１３の動作状態に応じて第１状態出力端子ＳＯ１および第２状態出力端子ＳＯ２のレベルを制御する。
【００２９】
図２に、第１状態出力端子ＳＯ１および第２状態出力端子ＳＯ２の状態通知制御信号と、充電ＩＣ１３の動作状態との対応関係を示す。図２に示すように、充電ＩＣ１３の動作状態には、予備充電状態、急速充電状態、満充電状態、タイムアウト状態の４つの状態がある。
【００３０】
充電ＩＣ１３は、たとえば充電端子ＰＯＵＴにより検出される二次電池１４の充電電圧ＶＢが、満充電電圧Ｖｃ１より低い所定の閾値電圧（たとえば満充電電圧Ｖｃ１の半分程度の電圧）以下である場合に、予備充電状態になる。そして、予備充電状態では、充電ＩＣ１３は、二次電池１４の充電電圧ＶＢが閾値電圧より高い場合での充電電流Ｉｃ２より小さい電流で充電を行う。
また、二次電池１４の充電電圧ＶＢが閾値電圧以上である場合、充電ＩＣ１３は、急速充電状態になる。急速充電状態では、充電ＩＣ１３は、所定の電圧Ｖｃ１および所定の電流Ｉｃ２により充電を行う。
また、二次電池１４の充電電圧ＶＢが所定の満充電電圧Ｖｃ１以上になると、充電ＩＣ１３は、満充電状態になる。満充電状態では、充電ＩＣ１３は、充電を停止する。
また、充電ＩＣ１３は、予備充電または急速充電を開始してから、図示外の内部タイマにより充電期間を計測し、所定のタイムアウト時間が経過すると、タイムアウト状態になる。タイムアウト状態では、充電ＩＣ１３は、充電を停止する。なお、充電ＩＣ１３は、制御入力端子ＣＩＮがたとえばハイレベルからローレベルに制御されることで、内部タイマをリセットし、充電を開始する。
【００３１】
そして、図２に示すように、充電ＩＣ１３は、これら４つの動作状態に応じて、第１状態出力端子ＳＯ１および第２状態出力端子ＳＯ２の状態通知制御信号（出力電圧レベル）を制御する。たとえば、二次電池１４が満充電状態となって充電を停止した状態である場合、充電ＩＣ１３は、第１状態出力端子ＳＯ１をハイレベルに制御し、第２状態出力端子ＳＯ２をローレベルに制御する。
【００３２】
図１の充電装置１は、この他にも、充電ＩＣ１３による充電を温度などに応じて制御するために、制御用のＣＰＵ１５、電圧検出ＩＣ１６、第１温度検出ＩＣ１７、第２温度検出ＩＣ１８、充電器検出回路１９などを有する。
【００３３】
充電器検出回路１９は、ＡＣＡＤＰコネクタ１１または直流コネクタ１２に接続される。充電器検出回路１９は、ＡＣＡＤＰコネクタ１１への入力電圧または直流コネクタ１２への入力電圧を検出すると、ＣＰＵ１５へ充電器検出信号Ｓ１９を出力する。
【００３４】
制御用のＣＰＵ１５は、各種の入出力端子を有する。ＣＰＵ１５の入出力端子には、たとえば制御出力端子ＣＯＵＴ、第１検出入力端子ＳＩ１、第２検出入力端子ＳＩ２、および第３検出入力端子ＳＩ３がある。ＣＰＵ１５は、制御出力端子ＣＯＵＴから、充電ＩＣ１３を起動停止制御する制御信号を出力する。第１検出入力端子ＳＩ１、第２検出入力端子ＳＩ２、および第３検出入力端子ＳＩ３には、充電ＩＣ１３の状態通知制御信号などが入力される。
【００３５】
電圧検出ＩＣ１６は、充電ＩＣ１３の充電端子ＰＯＵＴに接続される。電圧検出ＩＣ１６は、充電端子ＰＯＵＴの電圧が二次電池１４の満充電電圧Ｖｃ１より若干低い所定の第２検出電圧Ｖｃ２以上になると、出力端子からハイレベルの電圧信号Ｓ１６を出力する。また、電圧検出ＩＣ１６は、充電端子ＰＯＵＴの電圧が第２検出電圧より低い場合、出力端子からローレベルの電圧信号Ｓ１６を出力する。
【００３６】
電圧検出ＩＣ１６の出力端子には、制御抵抗素子２１の一端が接続される。制御抵抗素子２１の他端は、２つの電源用ダイオード２２、２３のカソードに接続される。一方の電源用ダイオード２２のアノードは、ＡＣＡＤＰコネクタ１１の第１外部端子１１−１に接続され、他方の電源用ダイオード２３のアノードは、直流コネクタ１２の第３外部端子１２−１に接続される。以下、制御抵抗素子２１の他端をノードＮ１と呼び、一端をノードＮ２と呼ぶ。
【００３７】
第１温度検出ＩＣ１７は、ノードＮ１に接続される。これにより、第１温度検出ＩＣ１７は、２つの電源用ダイオード２２、２３のいずれかから電力が供給されて動作する。第１温度検出ＩＣ１７は、サーミスタなどの温度検出素子を有し、二次電池１４の温度を検出する。
【００３８】
また、第１温度検出ＩＣ１７は、第１温度検出端子ＳＤ１および第４温度検出端子ＳＤ４を有する。第１温度検出端子ＳＤ１および第４温度検出端子ＳＤ４は、通常はローレベルとされる。そして、第１温度検出ＩＣ１７は、検出した温度が所定の第１温度Ｔ１以下である場合、第１温度検出端子ＳＤ１をハイレベルに制御する。また、検出した温度が所定の第４温度Ｔ４以上である場合、第１温度検出ＩＣ１７は、第４温度検出端子ＳＤ４をハイレベルに制御する。
【００３９】
第２温度検出ＩＣ１８は、ノードＮ２に接続される。これにより、第１温度検出ＩＣ１７は、電圧検出ＩＣ１６の出力端子がハイレベルに制御されて、ノードＮ２の電圧レベルＳ１６が所定の電圧以上になると、２つの電源用ダイオード２２、２３のいずれかから電力が供給されて動作する。第２温度検出ＩＣ１８は、サーミスタなどの温度検出素子を有し、二次電池１４の温度を検出する。
【００４０】
また、第２温度検出ＩＣ１８は、第３温度検出端子ＳＤ３を有する。第３温度検出端子ＳＤ３は、通常はローレベルとされる。そして、第２温度検出ＩＣ１８は、検出した温度が所定の第３温度Ｔ３以上である場合、第３温度検出端子ＳＤ３をハイレベルに制御する。
【００４１】
そして、この４つの検出温度Ｔ１、Ｔ２、Ｔ３およびＴ４は、Ｔ１＜Ｔ２＜Ｔ３＜Ｔ４の関係にある。
【００４２】
図３に、図１の充電装置１が組み込まれた携帯電話機６の外観を示す。図３の携帯電話機６は、第１筐体７と、第１筐体７とヒンジ部８により接続された第２筐体９とを有する。そして、図３の携帯電話機６は、第１筐体７の下部に、二次電池１４を収容するバッテリ収容部１０を有する。そのため、二次電池１４の温度を検出する第１温度検出ＩＣ１７および第２温度検出ＩＣ１８は、このバッテリ収容部１０内に露出して配設するとよい。これにより、第１温度検出ＩＣ１７および第２温度検出ＩＣ１８は、密閉されたバッテリ収容部１０内で、二次電池１４の温度を正確に検出することができる。
【００４３】
次に、第１温度検出ＩＣ１７および第２温度検出ＩＣ１８と、ＣＰＵ１５および充電ＩＣ１３との接続関係を詳しく説明する。
【００４４】
図１に示すように、第１温度検出ＩＣ１７の第１温度検出端子ＳＤ１には、信号線Ｌ１により、第１ダイオード２４のアノードが接続される。また、信号線Ｌ１には、ノード２との間に抵抗素子２７が接続され、グランド部との間に他の抵抗素子２８およびキャパシタ２９が接続される。
【００４５】
第１温度検出ＩＣ１７の第４温度検出端子ＳＤ４には、信号線Ｌ４により、第４ダイオード２６のアノードが接続される。また、信号線Ｌ４には、ノード２との間に抵抗素子３０が接続され、グランド部との間に他の抵抗素子３１およびキャパシタ３２が接続される。
【００４６】
第２温度検出ＩＣ１８の第３温度検出端子ＳＤ３には、信号線Ｌ３により、第３ダイオード２５のアノードが接続される。また、信号線Ｌ３には、ノード２との間に抵抗素子３３が接続され、グランド部との間に他の抵抗素子３４およびキャパシタ３５が接続される。
【００４７】
第１ダイオード２４のカソード、第４ダイオード２６のカソード、および第３ダイオードのカソードは、論理合成信号線Ｌ５に接続される。
【００４８】
論理合成信号線Ｌ５は、抵抗素子３６により、グランド部に接続される。これにより、論理合成信号線Ｌ５は、通常はローレベルとなる。また、論理合成信号線Ｌ５は、ＣＰＵ１５の第３検出入力端子ＳＩ３に接続される。
【００４９】
また、論理合成信号線Ｌ５は、第２検出用ダイオード３７のアノードに接続される。第２検出用ダイオード３７のカソードは、第２状態通知制御信号線Ｌ７により、ＣＰＵ１５の第１検出入力端子ＳＩ１に接続される。
【００５０】
そして、第２状態通知制御信号線Ｌ７は、第１検出用ダイオード３８のカソードに接続される。第１検出用ダイオード３８のアノードは、第１状態通知制御信号線Ｌ６により、充電ＩＣ１３の第１状態出力端子ＳＯ１に接続される。第１状態通知制御信号線Ｌ６は、抵抗素子３９によりプルアップされている。
【００５１】
また、論理合成信号線Ｌ５は、抵抗素子４０を介して検出用ＮＰＮトランジスタ４２のベースに接続される。この検出用トランジスタ４２のエミッタは、グランド部に接続される。検出用トランジスタ４２のベース−エミッタ間には、抵抗素子４１が接続される。検出用トランジスタ４２のコレクタは、第３状態通知制御信号線Ｌ８に接続される。第３状態通知制御信号線Ｌ８は、充電ＩＣ１３の第２状態出力端子ＳＯ２と、ＣＰＵ１５の第２検出入力端子ＳＩ２とを接続する。また、第３状態通知制御信号線Ｌ８は、抵抗素子４７によりプルアップされている。
【００５２】
また、論理合成信号線Ｌ５は、第２制御用ダイオード４３のアノードに接続される。第２制御用ダイオード４３のカソードは、第２制御信号線Ｌ１０により、充電ＩＣ１３の制御入力端子ＣＩＮに接続される。第２制御信号線Ｌ１０は、抵抗素子４５により、グランド部に接続される。
【００５３】
そして、第２制御信号線Ｌ１０は、第１制御用ダイオード４４のカソードに接続される。第１制御用ダイオード４４のアノードは、第１制御信号線Ｌ９により、ＣＰＵ１５の制御出力端子ＣＯＵＴに接続される。
【００５４】
以上の接続関係により、図４に示すように、第１温度検出ＩＣ１７および第２温度検出ＩＣ１８が検出した温度に応じて、第２状態通知制御信号線Ｌ７の電圧レベル（ＣＰＵ１５の第１検出入力端子ＳＩ１の入力電圧レベル）、第３状態通知制御信号線Ｌ８の電圧レベル（ＣＰＵ１５の第２検出入力端子ＳＩ２の入力電圧レベル）、および第２制御信号線Ｌ１０の電圧レベル（充電ＩＣ１３の制御入力端子ＣＩＮの入力電圧レベル）を制御することができる。
【００５５】
たとえば図４の左から１列目に示すように、二次電池１４の検出温度ＴＢが第１検出温度より低い場合、第１温度検出ＩＣ１７が第１温度検出端子ＳＤ１をハイレベルに制御する。これにより、信号線Ｌ１および論理合成信号線Ｌ５がハイレベルとなる。
そして、第２状態通知制御信号線Ｌ７の電圧レベル（ＣＰＵ１５の第１検出入力端子ＳＩ１の入力電圧レベル）はハイレベルとなり、第３状態通知制御信号線Ｌ８の電圧レベル（ＣＰＵ１５の第２検出入力端子ＳＩ２の入力電圧レベル）はローレベルとなり、第２制御信号線Ｌ１０の電圧レベル（充電ＩＣ１３の制御入力端子ＣＩＮの入力電圧レベル）はハイレベルとなる。
その結果、ＣＰＵ１５の第１検出入力端子ＳＩ１および第２検出入力端子ＳＩ２の電圧レベルは、充電ＩＣ１３が満充電状態の状態通知制御信号を出力した場合と同じ電圧レベルとされる。また、充電ＩＣ１３はディスエーブル状態になる。
【００５６】
なお、このときの電圧レベルは、充電ＩＣ１３による満充電状態の状態通知制御信号の電圧レベルと一致していなくてもよい。ＣＰＵ１５が満充電状態の状態通知制御信号が入力されたと判断するように、充電ＩＣ１３による満充電状態の状態通知制御信号の電圧レベルと論理的に同じになる電圧レベルであればよい。
【００５７】
また、図４の左から４列目に示すように、二次電池１４の検出温度ＴＢが第４検出温度以上である場合、第１温度検出ＩＣ１７が第４温度検出端子ＳＤ４をハイレベルに制御する。これにより、信号線Ｌ４および論理合成信号線Ｌ５がハイレベルとなる。
そして、第２状態通知制御信号線Ｌ７の電圧レベル（ＣＰＵ１５の第１検出入力端子ＳＩ１の入力電圧レベル）はハイレベルとなり、第３状態通知制御信号線Ｌ８の電圧レベル（ＣＰＵ１５の第２検出入力端子ＳＩ２の入力電圧レベル）はローレベルとなり、第２制御信号線Ｌ１０の電圧レベル（充電ＩＣ１３の制御入力端子ＣＩＮの入力電圧レベル）はハイレベルとなる。
その結果、ＣＰＵ１５の第１検出入力端子ＳＩ１および第２検出入力端子ＳＩ２の電圧レベルは、充電ＩＣ１３が満充電状態の状態通知制御信号を出力した場合と同じ電圧レベルとされる。また、充電ＩＣ１３はディスエーブル状態になる。
【００５８】
また、図４の左から３列目の下段に示すように、二次電池１４の検出温度ＴＢが第３検出温度以上かつ第４検出温度未満である場合であって、充電電圧ＶＢが第２検出電圧以上であるとき、第２温度検出ＩＣ１８が動作して第３温度検出端子ＳＤ３をハイレベルに制御する。これにより、信号線Ｌ３および論理合成信号線Ｌ５がハイレベルとなる。
そして、第２状態通知制御信号線Ｌ７の電圧レベル（ＣＰＵ１５の第１検出入力端子ＳＩ１の入力電圧レベル）はハイレベルとなり、第３状態通知制御信号線Ｌ８の電圧レベル（ＣＰＵ１５の第２検出入力端子ＳＩ２の入力電圧レベル）はローレベルとなり、第２制御信号線Ｌ１０の電圧レベル（充電ＩＣ１３の制御入力端子ＣＩＮの入力電圧レベル）はハイレベルとなる。
その結果、ＣＰＵ１５の第１検出入力端子ＳＩ１および第２検出入力端子ＳＩ２の電圧レベルは、充電ＩＣ１３が満充電状態の状態通知制御信号を出力した場合と同じ電圧レベルとされる。また、充電ＩＣ１３はディスエーブル状態になる。
【００５９】
これに対して、たとえば図４の左から２列目に示すように、二次電池１４の検出温度ＴＢが第１検出温度以上かつ第３検出温度未満である場合には、信号線Ｌ１、信号線Ｌ４および信号線Ｌ３はローレベルとなり、論理合成信号線Ｌ５もローレベルとなる。
そのため、第２状態通知制御信号線Ｌ７の電圧レベル（ＣＰＵ１５の第１検出入力端子ＳＩ１の入力電圧レベル）は、充電ＩＣ１３が第１状態通知制御信号線Ｌ６に出力した電圧レベルになる。また、第３状態通知制御信号線Ｌ８の電圧レベル（ＣＰＵ１５の第２検出入力端子ＳＩ２の入力電圧レベル）は、充電ＩＣ１３が第３状態通知制御信号線Ｌ８に出力した電圧レベルになる。
また、第２制御信号線Ｌ１０の電圧レベル（充電ＩＣ１３の制御入力端子ＣＩＮの入力電圧レベル）は、ＣＰＵ１５が第１制御信号線Ｌ９に出力した電圧レベルになる。
【００６０】
また、図４の左から３列目の上段に示すように、二次電池１４の検出温度ＴＢが第３検出温度以上かつ第４検出温度未満である場合であって、充電電圧ＶＢが第２検出電圧未満であるとき、信号線Ｌ１、信号線Ｌ４および信号線Ｌ３はローレベルとなり、論理合成信号線Ｌ５もローレベルとなる。
そのため、第２状態通知制御信号線Ｌ７の電圧レベル（ＣＰＵ１５の第１検出入力端子ＳＩ１の入力電圧レベル）は、充電ＩＣ１３が第１状態通知制御信号線Ｌ６に出力した電圧レベルになる。また、第３状態通知制御信号線Ｌ８の電圧レベル（ＣＰＵ１５の第２検出入力端子ＳＩ２の入力電圧レベル）は、充電ＩＣ１３が第３状態通知制御信号線Ｌ８に出力した電圧レベルになる。
また、第２制御信号線Ｌ１０の電圧レベル（充電ＩＣ１３の制御入力端子ＣＩＮの入力電圧レベル）は、ＣＰＵ１５が第１制御信号線Ｌ９に出力した電圧レベルになる。
【００６１】
次に、以上の構成を有する図１の充電装置１の全体的な充電動作を説明する。
図５は、図１中のＣＰＵ１５が実行する充電制御の流れを示すフローチャートである。ＣＰＵ１５は、たとえば携帯電話機６の図示外の電源ボタンが操作されてＣＰＵ１５が起動されることにより、図５の処理を実行する。
なお、ＣＰＵ１５は、図示外の充電制御プログラムを実行することで図５の処理を実行する。充電制御プログラムは、たとえばＣＤ−ＲＯＭ（Compact Disk - Read Only Memory）などの記録媒体にコンピュータ読取可能に記録されていたものをＣＰＵ１５の内部メモリにインストールしたものであっても、インターネットなどの伝送媒体によりダウンロードしたものをＣＰＵ１５の内部メモリにインストールしたものであってもよい。
【００６２】
図５の充電制御において、ＣＰＵ１５は、携帯電話機６が図示しない充電器に接続されたか否かを判断する（ＳＴ１）。ＣＰＵ１５は、たとえば充電器検出回路１９から充電器検出信号Ｓ１９が入力されたことに基づいて、携帯電話機６が充電器に接続されたと判断すればよい。
【００６３】
ＳＴ１において充電器が接続されたと判断すると、ＣＰＵ１５は、充電状態を判断する（ＳＴ２）。充電ＩＣ１３の動作状態には、図２に示すように、予備充電、急速充電、満充電、タイムアウトの４つの状態がある。ＣＰＵ１５は、第１検出入力端子ＳＩ１および第２検出入力端子ＳＩ２に入力される電圧レベルから、充電ＩＣ１３の動作状態がこの４つの動作状態のいずれかであるかを判断する。
なお、電源投入時には、充電ＩＣ１３は、制御入力端子ＣＩＮがローレベルに制御されていてもよい。この場合、抵抗素子４５により第１状態出力端子ＳＯ１がローレベルになる。そのため、図２に示すように、ＣＰＵ１５は、充電ＩＣ１３の動作状態を予備充電状態または急速充電状態と判断する。満充電状態と判断することはない。
【００６４】
ＳＴ２において予備充電状態、急速充電状態またはタイムアウト状態と判断し、すなわち満充電以外の状態であると判断した場合、ＣＰＵ１５は、充電ＩＣ１３に充電を指示する。具体的には、ＣＰＵ１５は、制御出力端子ＣＯＵＴをローレベルに制御する（ＳＴ３）。
これにより、制御出力端子ＣＯＵＴから、ローレベルの制御信号が出力される。この制御信号により第２制御信号線Ｌ１０の電圧レベルがローレベルになると、充電ＩＣ１３は起動し、二次電池１４の充電状態に応じた充電制御を実行する。
【００６５】
二次電池１４が充電されていない場合、充電ＩＣ１３は、予備充電により二次電池１４を所定の電圧まで充電した後、急速充電により二次電池１４を満充電電圧Ｖｃ１まで充電する。この間、充電ＩＣ１３は、二次電池１４の寿命（繰り返し充電回数）などが考慮された所定の電圧および所定の電流の範囲内で充電する。具体的には、後述する図１０に示す電圧Ｖｃ１および電流Ｉｃ２の範囲内の電圧および電流を使用して充電する。
また、図２に示すように、充電ＩＣ１３は、予備充電中に、第１状態出力端子ＳＯ１および第２状態出力端子ＳＯ２をローレベルに制御する。また、急速充電中に、充電ＩＣ１３は、第１状態出力端子ＳＯ１をローレベルに制御し、第２状態出力端子ＳＯ２をハイレベルに制御する。
二次電池１４が満充電状態になると、すなわち二次電池１４の充電電圧ＶＢが電圧Ｖｃ１になると、充電ＩＣ１３は、二次電池１４の充電を終了する。また、充電ＩＣ１３は、第１状態出力端子ＳＯ１をハイレベルに制御し、第２状態出力端子ＳＯ２をローレベルに制御する。
【００６６】
また、ＳＴ２において満充電状態と判断した場合、ＣＰＵ１５は、充電ＩＣ１３に充電停止を指示する（ＳＴ４）。具体的には、ＣＰＵ１５は、制御出力端子ＣＯＵＴをハイレベルに制御する。この制御信号により第２制御信号線Ｌ１０の電圧レベルがローレベルになると、充電ＩＣ１３は停止し、二次電池１４の充電を停止する。また、充電ＩＣ１３は、第１状態出力端子ＳＯ１をハイレベルに制御し、第２状態出力端子ＳＯ２をローレベルに制御する。
【００６７】
充電ＩＣ１３に充電または充電停止を指示した後、ＣＰＵ１５は、所定の時間が経過することを待つ（ＳＴ５）。そして、ＳＴ５において所定の時間が経過したと判断すると、ＣＰＵ１５は、充電器が離脱されたか否かを判断する（ＳＴ６）。ＣＰＵ１５は、たとえば充電器検出回路１９の充電器検出信号Ｓ１９が入力されてない場合、充電器が離脱したと判断する。この場合、ＣＰＵ１５は、再び充電器が接続されるまで、図５の充電処理を終了する。
【００６８】
また、充電器が携帯電話機６に接続されていて、充電器が離脱していない場合（ＳＴ５でＮｏの場合）、ＣＰＵ１５は、ＳＴ２〜ＳＴ５の処理を繰り返し実行する。これにより、ＣＰＵ１５は、充電器が接続されている間は、所定の待ち時間毎に、充電ＩＣ１３の動作状態に応じて、充電ＩＣ１３の動作を制御する。
そして、二次電池１４が満充電状態にない場合、ＣＰＵ１５は、制御信号（ＣＯＵＴ）をローレベルに制御して充電ＩＣ１３に充電を指示する。これにより、充電動作中の充電ＩＣ１３は、充電を継続する。また、タイムアウト状態の充電ＩＣ１３は、充電を再開する。
また、二次電池１４が満充電状態にある場合、ＣＰＵ１５は、制御信号（ＣＯＵＴ）をハイレベルに制御して充電ＩＣ１３に充電停止を指示する。これにより、充電動作中の充電ＩＣ１３は、充電を終了する。また、満充電を検出して充電を終了した充電ＩＣ１３は、停止する。
【００６９】
以上の充電ＩＣ１３の充電動作およびＣＰＵ１５の充電制御により、二次電池１４は、満充電電圧Ｖｃ１まで充電される。すなわち、ＣＰＵ１５は、二次電池１４の検出温度ＴＢに応じた制御を実行することなく、二次電池１４は、満充電電圧Ｖｃ１まで充電することができる。
【００７０】
図６に、充電装置１の充電状態の遷移図を示す。図６の状態遷移図には、充電器を装着した状態（Ａ）、充電開始または再充電開始の状態（Ｂ）、満充電の状態（Ｃ）、充電待機の状態（Ｄ）、充電器を外した状態（Ｅ）、および充電終了の状態（Ｆ）が図示されている。
ＣＰＵ１５が図５の充電制御処理を実行することで、充電装置１の状態は、充電器を装着した状態（Ａ）から電開始または再充電開始の状態（Ｂ）となる。また、電開始または再充電開始の状態（Ｂ）と、満充電の状態（Ｃ）と、充電待機の状態（Ｄ）との間で状態が遷移することで、二次電池を満充電状態に維持する。また、状態（Ｂ）〜（Ｄ）のいずれかの状態において充電器が外されると、充電器を外した状態（Ｅ）となり、充電終了の状態（Ｆ）になる。
【００７１】
次に、二次電池１４の検出温度ＴＢに応じた充電制御について説明する。
【００７２】
図１の充電装置１において、第１温度検出ＩＣ１７および第２温度検出ＩＣ１８は、二次電池１４の温度ＴＢを検出し、図４に示す第１温度Ｔ１、第３温度Ｔ３、第４温度Ｔ４と比較する。
【００７３】
図４の左から一番目の列のように、二次電池１４の温度ＴＢが第１温度Ｔ１より低い場合、第１温度検出ＩＣ１７は、第１温度検出端子ＳＤ１をハイレベルに制御する。これにより、信号線Ｌ１および論理合成信号線Ｌ５がハイレベルとなる。
その結果、第２状態通知制御信号線Ｌ７はハイレベルとなり、ＣＰＵ１５の第１検出入力端子ＳＩ１にはハイレベルが入力される。また、検出用ＮＰＮトランジスタ４２がオン状態になり、第３状態通知制御信号線Ｌ８がローレベルになり、ＣＰＵ１５の第２検出入力端子ＳＩ２にはローレベルが入力される。
図２に示すように、第１検出入力端子ＳＩ１にハイレベルが入力され、第２検出入力端子ＳＩ２にローレベルが入力されると、ＣＰＵ１５は、図５のＳＴ２の充電状態の判断において、満充電状態であると判断する。そのため、図２に示すように、ＣＰＵ１５は、ＳＴ４の充電待機において、充電ＩＣ１３への制御信号（ＣＯＵＴ）をハイレベルに制御する。その結果、充電ＩＣ１３は、停止し、二次電池１４の充電中である場合には充電を停止する。
なお、図１の回路では、論理合成信号線Ｌ５は、第２制御用ダイオード４３を介して、第２制御信号線Ｌ１０に接続されている。よって、論理合成信号線Ｌ５がハイレベルとなることにより、第２制御信号線Ｌ１０もハイレベルになる。そのため、充電ＩＣ１３は、事前に、論理合成信号線Ｌ５がハイレベルに制御された時点で停止し、二次電池１４の充電中である場合には充電を停止している。
【００７４】
図４の左から四番目の列のように、二次電池１４の温度ＴＢが第４温度Ｔ４より高い場合、第１温度検出ＩＣ１７は、第４温度検出端子ＳＤ４をハイレベルに制御する。これにより、信号線Ｌ４および論理合成信号線Ｌ５がハイレベルとなる。
その結果、第２状態通知制御信号線Ｌ７はハイレベルとなり、ＣＰＵ１５の第１検出入力端子ＳＩ１にはハイレベルが入力される。また、検出用ＮＰＮトランジスタ４２がオン状態になり、第３状態通知制御信号線Ｌ８がローレベルになり、ＣＰＵ１５の第２検出入力端子ＳＩ２にはローレベルが入力される。
そして、ＣＰＵ１５は、図５のＳＴ２の充電状態の判断において満充電状態であると判断し、ＳＴ４の充電待機において充電ＩＣ１３への制御信号をハイレベルに制御する。その結果、充電ＩＣ１３は、停止し、二次電池１４の充電中である場合には充電を停止する。
【００７５】
これに対して、図４の左から二番目または三番目の列のように、二次電池１４の温度ＴＢが第１温度Ｔ１と第４温度Ｔ４との間にある場合、第１温度検出ＩＣ１７は、第１温度検出端子ＳＤ１および第４温度検出端子ＳＤ４をローレベルに制御する。したがって、信号線Ｌ１、Ｌ４および論理合成信号線Ｌ５はローレベルのままになる。また、検出用ＮＰＮトランジスタ４２はオフ状態のままである。
その結果、第２状態通知制御信号線Ｌ７および第３状態通知制御信号線Ｌ８は、充電ＩＣ１３の第１状態出力端子ＳＯ１および第２状態出力端子ＳＯ２から出力される状態通知制御信号に応じた電圧レベルになる。ＣＰＵ１５の第１検出入力端子ＳＩ１および第２検出入力端子ＳＩ２には、充電ＩＣ１３の状態通知制御信号［ＳＯ１、ＳＯ２］が入力される。そのため、ＣＰＵ１５は、図５の充電制御処理において、充電ＩＣ１３の状態通知制御信号［ＳＯ１、ＳＯ２］に応じた制御を実行する。
【００７６】
また、図４の左から三番目の列に示すように、二次電池１４の温度ＴＢが第３温度Ｔ３と第４温度Ｔ４との間にある場合において、二次電池１４の充電電圧ＶＢが第２検出電圧Ｖｃ２以上になると、電圧検出ＩＣ１６は、出力端子Ｓ１６（ノードＮ１）をローレベルからハイレベルに制御する。これにより、第２温度検出ＩＣ１８が動作を開始する。
そして、二次電池１４の温度ＴＢが第３温度Ｔ３と第４温度Ｔ４との間にあるので、第２温度検出ＩＣ１８は、第３温度検出端子ＳＤ３をハイレベルに制御する。これにより、信号線Ｌ３および論理合成信号線Ｌ５がハイレベルとなる。
その結果、第２状態通知制御信号線Ｌ７はハイレベルとなり、ＣＰＵ１５の第１検出入力端子ＳＩ１にはハイレベルが入力される。また、検出用ＮＰＮトランジスタ４２がオン状態になり、第３状態通知制御信号線Ｌ８がローレベルになり、ＣＰＵ１５の第２検出入力端子ＳＩ２にはローレベルが入力される。
そして、ＣＰＵ１５は、図５のＳＴ２の充電状態の判断において満充電状態であると判断し、ＳＴ４の充電待機において充電ＩＣ１３への制御信号をハイレベルに制御する。その結果、充電ＩＣ１３は、停止し、二次電池１４の充電中である場合には充電を停止する。
【００７７】
図７および図８に、以上の温度制御による充電装置１の動作状態を示す。図７は、第２温度検出ＩＣ１８が第３温度検出端子ＳＤ３をハイレベルに制御していない場合の動作状態である。図８は、第２温度検出ＩＣ１８が第３温度検出端子ＳＤ３をハイレベルに制御した場合の動作状態である。また、各図の上段は、第１温度検出ＩＣ１７または第２温度検出ＩＣ１８が異常温度を検出する前の動作状態である。下段は、第１温度検出ＩＣ１７または第２温度検出ＩＣ１８が異常温度を検出した後の動作状態である。
【００７８】
ケース１番に示すように、二次電池１４の温度が充電可能な正常温度である場合、予備充電中の充電ＩＣ１３は［０，０］を出力する。ここで、第１項は、第１状態出力端子ＳＯ１の電圧レベルを示し、第２項は、第２状態出力端子ＳＯ２の電圧レベルを示す。この場合、ＣＰＵ１５の第１検出入力端子ＳＩ１および第２検出入力端子ＳＩ２には［０，０］が入力され、ＣＰＵ１５は予備充電状態と判断し、充電ＩＣ１３の制御入力端子ＣＩＮがローレベルに制御され、充電ＩＣ１３は予備充電を実行する。
【００７９】
ケース２番に示すように、二次電池１４の温度が第４温度Ｔ４より高い場合、充電ＩＣ１３が［０，０］を出力しているにもかかわらずＣＰＵ１５には［１，０］が入力され、ＣＰＵ１５は満充電状態と判断し、充電ＩＣ１３の制御入力端子ＣＩＮがハイレベルに制御され、充電ＩＣ１３は非充電状態になる。
【００８０】
ケース３番に示すように、二次電池１４の温度が第１温度Ｔ１より低い場合、充電ＩＣ１３が［０，０］を出力しているにもかかわらずＣＰＵ１５には［１，０］が入力され、ＣＰＵ１５は満充電状態と判断し、充電ＩＣ１３の制御入力端子ＣＩＮがハイレベルに制御され、充電ＩＣ１３は非充電状態になる。
【００８１】
ケース４番に示すように、第１温度検出ＩＣ１７がエラーによりハイレベルを出力すると、充電ＩＣ１３が［０，０］を出力しているにもかかわらずＣＰＵ１５には［１，０］が入力され、ＣＰＵ１５は満充電状態と判断し、充電ＩＣ１３の制御入力端子ＣＩＮがハイレベルに制御され、充電ＩＣ１３は非充電状態になる。
【００８２】
このケース１〜４番は、充電ＩＣ１３が予備充電状態にある場合での温度制御状態である。同様に、ケース５〜８番は、充電ＩＣ１３が急速充電状態にある場合での温度制御状態であり、ケース９〜１２番は、充電ＩＣ１３が満充電状態にある場合での温度制御状態であり、ケース１３〜１６番は、充電ＩＣ１３がタイムアウト状態にある場合での温度制御状態である。ケース５〜１６番での動作状態は、基本的にケース１〜４番と同じである。
同様に、図８のケース１７〜３２番は、第２温度検出ＩＣ１８が温度異常（第３温度Ｔ３と第４温度Ｔ４の間の温度）などを検出している場合での温度制御状態を示す。この場合、第２温度検出ＩＣ１８に接続された信号線Ｌ３がハイレベルとなり、充電ＩＣ１３の出力に関係なくＣＰＵ１５には［１，０］が入力され、ＣＰＵ１５は満充電状態と判断し、充電ＩＣ１３の制御入力端子ＣＩＮがハイレベルに制御され、充電ＩＣ１３は非充電状態になる。
【００８３】
なお、ＣＰＵ１５が満充電状態と判断し、充電ＩＣ１３が非充電状態である場合、二次電池１４は充電されない。そのため、二次電池１４はたとえば第四温度Ｔ４から第三温度Ｔ３へ冷却される。このように二次電池１４の温度ＴＢが第二温度Ｔ２と第三温度Ｔ３との間の正常な温度範囲に復帰すると、第一温度検出ＩＣ１７および第２温度検出ＩＣ１８は、信号線Ｌ１〜Ｌ４をローレベルに制御する。
これにより、充電ＩＣ１３の状態通知制御信号がＣＰＵ１５に入力され、ＣＰＵ１５の制御信号が充電ＩＣ１３に入力されるようになる。そして、ＣＰＵ１５および充電ＩＣ１３は、二次電池１４の充電を再開する。その結果、二次電池１４は最終的には第１充電電圧Ｖｃ１まで充電され、満充電状態になる。
【００８４】
以上のように、図１〜図８に示す第１の実施の形態の充電装置１において、ＣＰＵ１５は、図５に示すように、充電中に温度制御をしない充電制御を実行する。よって、ＣＰＵ１５が実行するプログラムは、充電中に温度制御をしない充電装置のプログラムをそのまま流用することが可能である。
また、図１の充電装置１の回路は、充電中に温度制御をしない充電装置の回路と基本構成が同じである。図９に、充電中に温度制御をしない充電装置の回路構成例を示す。図９の構成要素には、図１と同じ符号を付す。図１と図９とを比較すれば明らかなように、図１の点線枠中の、温度検出に応じて満充電信号を擬似的に生成する状態通知制御回路４６を除けば、図１の回路と図９の回路とは同じである。よって、充電ＩＣ１３などの回路は、充電中に温度制御をしない充電装置の充電ＩＣ１３などをそのまま流用することが可能である。
このように、図１〜図８に示す充電装置１は、充電中に温度制御をしない充電装置の充電ソフトウェアプログラムおよび充電用の回路を利用して、充電中の温度制御を実現できる。ハードウェアの大幅な変更が不要になる。そのため、新たに最初から充電中に温度制御する充電装置１を設計開発する場合に比べて、充電装置１の設計期間および検証期間（試験および評価の期間）を短縮し、充電装置１のコストアップを抑えることができる。また、従来から使用しているプログラムおよび回路の信頼性を取り込んで、充電装置１の信頼性を得ることができる。
【００８５】
また、図１の点線枠中の、温度検出に応じて満充電信号を擬似的に生成する状態通知制御回路４６において、第２温度検出ＩＣ１８は、充電ＩＣ１３の充電電圧が第２検出電圧Ｖｃ２以上である場合のみ動作する。よって、ＣＰＵ１５などにより温度制御を実行する場合に比べて、充電装置１の消費電力を実質的に低減し、充電装置１の低消費電力化が実現できる。
【００８６】
図１０に、ＣＩＡＪ（Communications Industries Association of Japan）により勧告されたリチウムイオン電池の充電方式を示す。
図１０（Ａ）に示すように、ＣＩＡＪ勧告では、二次電池１４の検出温度が第１温度Ｔ１より低い場合には二次電池１４の充電を禁止し、第１温度Ｔ１から第２温度Ｔ２では第１充電電圧Ｖｃ１および第２充電電流Ｉｃ２で充電し、第２温度Ｔ２から第３温度Ｔ３では第１充電電圧Ｖｃ１および第１充電電流Ｉｃ１で充電し、第３温度Ｔ３から第４温度Ｔ４では第２充電電圧Ｖｃ２および第１充電電流Ｉｃ１で充電し、第４温度Ｔ４より高い場合には二次電池１４の充電を禁止する。
図１０（Ｂ）は、図１０（Ａ）のＣＩＡＪ勧告を図式化したものである。横軸は、二次電池１４の検出温度ＴＢ、左側縦軸は充電電圧Ｖｃ、左縦軸は充電電流Ｉｃである。図１０（Ｂ）に示すように、第１充電電圧Ｖｃ１は、二次電池１４に充電可能な電圧であり、第２充電電圧Ｖｃ２は、第１充電電圧Ｖｃ１より低い電圧である。また、第１充電電流Ｉｃ１は、二次電池１４に流してもよい充電電流であり、第２充電電流Ｉｃ２は、第１充電電流Ｉｃ１より低い電流である。図１０（Ｂ）において、左下がりのハッチング範囲Ａ１が、ＣＩＡＪで勧告された二次電池１４に充電電圧を印加してもよい範囲である。また、右下がりのハッチング範囲Ａ２が、ＣＩＡＪで勧告された二次電池１４に充電電流を流してもよい範囲になる。
【００８７】
そして、第１の実施の形態では、図１０（Ａ）に示すように、二次電池１４の検出温度ＴＢが第１温度Ｔ１より低い場合には充電を停止し、第１温度Ｔ１から第２温度Ｔ２では第１充電電圧Ｖｃ１および第２充電電流Ｉｃ２で充電し、第２温度Ｔ２から第３温度Ｔ３では第１充電電圧Ｖｃ１および第２充電電流Ｉｃ２で充電し、第３温度Ｔ３から第４温度Ｔ４では充電を停止し、第４温度Ｔ４より高い場合には充電を停止する。
よって、第１の実施の形態の充電装置１の充電方式は、ＣＩＡＪ勧告を満たしている。
【００８８】
［第２の実施の形態］
図１１は、本発明の第２の実施の形態に係る充電装置１の回路構成を示す回路図である。
図１１の充電装置１は、第３温度検出ＩＣ５１、第１電流調整トランジスタ５２、第２電流調整トランジスタ５３、第１電流調整抵抗素子５４、第２電流調整抵抗素子５５を備える点で、図１の充電装置１と相違する。また、充電ＩＣ１３は、充電電流Ｉｃを調整する充電電流調整回路５６を有する。
【００８９】
第３温度検出ＩＣ５１は、ノードＮ１に接続される。第３温度検出ＩＣ５１は、サーミスタなどの温度検出素子を有し、二次電池１４の温度ＴＢを検出する。
また、第３温度検出ＩＣ５１は、第２温度検出端子ＳＤ２を有する。第２温度検出端子ＳＤ２は、通常はローレベルとされる。そして、第３温度検出ＩＣ５１は、検出した温度ＴＢが所定の第２温度Ｔ２以下である場合、第２温度検出端子ＳＤ２をハイレベルに制御する。ここで、第２温度Ｔ２は、第１温度Ｔ１より高く、第３温度Ｔ３より低い温度である。
【００９０】
第１電流調整トランジスタ５２は、たとえばＮチャネルのＦＥＴ（Field Effect Transistor）である。第１電流調整トランジスタ５２は、ゲート電極の電位が低くなると、ドレイン電極とソース電極との間が導通する。ゲート電極は、第３温度検出ＩＣ５１の第２温度検出端子ＳＤ２と、コンデンサ５７とに接続される。ソース電極は、グランド部に接続される。ドレイン電極は、抵抗素子５８の一端と、第２電流調整トランジスタ５３のゲート電極に接続される。抵抗素子５８の他端は、充電ＩＣ１３に接続される。
【００９１】
第２電流調整トランジスタ５３は、たとえばＰチャネルのＦＥＴである。第２電流調整トランジスタ５３は、ゲート電極の電位が高くなると、ドレイン電極とソース電極との間が導通する。ソース電極は、第１電流調整抵抗素子５４の一端と、充電ＩＣ１３に接続される。ドレイン電極は、第１電流調整抵抗素子５４の他端と、第２電流調整抵抗素子５５の一端に接続される。第２電流調整抵抗素子５５の他端は、グランド部に接続される。
【００９２】
充電電流調整回路５６は、充電ＩＣ１３内で、第２電流調整トランジスタ５３のソース電極と、第１電流調整抵抗素子５４の一端に接続される。充電電流調整回路５６は、充電ＩＣ１３に入力される電圧に応じて充電電流Ｉｃを調整する。具体的に、入力電圧が所定電圧より高い場合、充電電流をＩｃ１に制御する。また、入力電圧が所定電圧より低い場合、充電電流をＩｃ２に制御する。
【００９３】
次に、この第３温度検出ＩＣ５１の温度検出に基づく制御を説明する。
図１２に、第２の実施の形態での温度制御の説明図を示す。なお、図１２において左から１列目、４列目および５列目の動作は、図４の左から１列目、３列目および４列目の動作と同じであり、説明を省略する。
【００９４】
図１２の左から２列目に示すように、二次電池１４の検出温度ＴＢが第２検出温度Ｔ２より低い場合、第３温度検出ＩＣ５１が第２温度検出端子ＳＤ２をハイレベルに制御する。これにより、第１電流調整トランジスタ５２がオフ状態になる。また、抵抗素子５８には電流が流れなくなるので、第２電流調整トランジスタ５３がオン状態となり、第１電流調整抵抗素子５４をショートする。その結果、充電ＩＣ１３に入力される電圧が所定電圧より低くなり、充電電流調整回路５６は、充電電流をＩｃ２に制御する。充電ＩＣ１３は、制限された充電電流Ｉｃ２により二次電池１４を充電する。
【００９５】
図１２の左から３列目に示すように、二次電池１４の検出温度ＴＢが第２検出温度Ｔ２より高い場合、第３温度検出ＩＣ５１が第２温度検出端子ＳＤ２をローレベルに制御する。これにより、第１電流調整トランジスタ５２がオン状態になる。また、抵抗素子５８に電流が流れ、第２電流調整トランジスタ５３がオフ状態となる。その結果、充電ＩＣ１３に入力される電圧が所定電圧より高くなり、充電電流調整回路５６は、充電電流をＩｃ１に制御する。充電ＩＣ１３は、制限されていない充電電流Ｉｃ１により二次電池１４を充電する。
【００９６】
第２の実施の形態の充電装置１は、図１２に示す温度制御を実行する。そのため、図１０（Ｂ）において一点鎖線で示すように、充電装置１は、第１温度Ｔ１と第３温度Ｔ３との間の第２温度Ｔ２において充電電流をＩｃ１とＩｃ２との間で切り替える。
また、第２の実施の形態の充電装置１は、ＣＩＡＪ勧告を満たしている。
【００９７】
以上の各実施形態は、本発明の好適な実施形態であるが、本発明は、これに限定されることなく、種々の変形または変更が可能である。
【００９８】
たとえば、上記各実施形態では、充電装置１が携帯電話機６に組み込まれているが、充電装置１は、ＰＤＡ（Personal Data Assistant）、携帯ゲーム機器などの電池駆動装置に組み込まれてもよい。
【００９９】
上記各実施形態では、充電装置１は、第１温度Ｔ１および第４温度Ｔ４とともに、第３温度Ｔ３または第２温度Ｔ２により充電を制御しているが、第１温度Ｔ１および第４温度Ｔ４のみで充電を制御してもよい。
【０１００】
また、上記各実施形態では、充電ＩＣ１３は、充電ＩＣ１３が二次電池１４を充電している状態を示す状態通知制御信号を出力している。この他にもたとえば、充電ＩＣ１３は、二次電池１４の充電電圧を検出し、二次電池１４の充電状態を示す状態通知制御信号を出力してもよい。
【符号の説明】
【０１０１】
・・・充電装置、６・・・携帯電話機（電池駆動装置）、１１・・・ＡＣアダプター用コネクタ（ＡＣＡＤＰコネクタ）、１３・・・充電ＩＣ（充電回路）、１４・・・二次電池、１５・・・ＣＰＵ（制御部）、１６・・・電圧検出ＩＣ（充電電圧検出回路）、１７・・・第１温度検出ＩＣ（充電停止用の低温センサと高温センサ）、１８・・・第２温度検出ＩＣ（充電電圧制御用の中温センサ）、２４・・・第１ダイオード（低温用ダイオード）、２５・・・第３ダイオード（中温用ダイオード）、２６・・・第４ダイオード（高温用ダイオード）、３６・・・抵抗素子、３７・・・第２検出用ダイオード（検出用能動素子）、４２・・・検出用ＮＰＮトランジスタ（他の検出用能動素子）、４３・・・第２制御用ダイオード（制御用能動素子）、４６・・・状態通知制御回路、５１・・・第３温度検出ＩＣ（充電電流制御用温度センサ）、ＳＩ１・・・第１検出入力端子（入力端子）、ＳＩ２・・・第２検出入力端子（入力端子）、Ｌ１・・・信号線（Ｔ１検出信号）、Ｌ２・・・信号線（Ｔ２検出信号）、Ｌ３・・・信号線（Ｔ３検出信号）、Ｌ４・・・信号線（Ｔ４検出信号）、Ｌ５・・・論理合成信号線、Ｌ６・・・第１状態通知制御信号線（状態通知制御信号線の一部）、Ｌ７・・・第２状態通知制御信号線（状態通知制御信号線の一部）、Ｌ８・・・第３状態通知制御信号線（他の状態通知制御信号線）、Ｌ９・・・第１制御信号線（制御信号線の一部）、Ｌ１０・・・第２制御信号線（制御信号線の一部）、ＴＢ・・・二次電池の検出温度、ＶＢ・・・充電電圧、ＩＣ・・・充電電流、Ａ１・・・二次電池に印加してもよい充電電圧の範囲、Ａ２・・・二次電池に流してもよい充電電流の範囲
【図１】
2010193634.tif 000003
【図２】
2010193634.tif 000004
【図３】
2010193634.tif 000005
【図４】
2010193634.tif 000006
【図５】
2010193634.tif 000007
【図６】
2010193634.tif 000008
【図７】
2010193634.tif 000009
【図８】
2010193634.tif 000010
【図９】
2010193634.tif 000011
【図１０】
2010193634.tif 000012
【図１１】
2010193634.tif 000013
【図１２】
2010193634.tif 000014